(57)【要約】【課題】  本発明は、面材を壁下地に固定するビス頭が表面に現れることがなく、意匠性に優れた壁構造を提供することを可能にすることを目的としている。【解決手段】  壁下地材１に面材11を取り付けた壁構造であって、該面材11は両面テープ17により壁下地材１に貼着され、面材11と、壁材８または床材４との取り合い部に該面材11を介して押縁部材12を壁下地材１に固定具13により固定し、該固定具13の表面を覆い隠すことができる押縁化粧部材15を押縁部材14に取り付けたことを特徴とする。【選択図】      図２
2014159737.tif 000002
【特許請求の範囲】
【請求項１】
壁下地材に面材を取り付けた壁構造であって、
前記面材は両面テープにより前記壁下地材に貼着され、
前記面材と、壁または床との取り合い部に該面材を介して押縁部材を前記壁下地材に固定具により固定し、
前記固定具の表面を覆い隠すことができる押縁化粧部材を前記押縁部材に取り付けたことを特徴とする壁構造。
【発明の詳細な説明】
【技術分野】
【０００１】
本発明は、壁下地材に面材を取り付けた壁構造に関するものである。
【背景技術】
【０００２】
従来、間仕切壁等に用いる壁下地材に設けられるスタッド部材の取り付け方法としては、特開平１１−０３６４９０号公報（特許文献１）の図４（ｃ）に記載されたように、縦芯材の下端部が嵌入される断面コ字形状のランナー材の底片で縦芯材の固定位置に突起部を設けたものがある。また、特開平０９−１００５９０号公報（特許文献２）には、断面コ字形状のランナに設けられた内向きの突出部と、スタッドの対向二面に設けられた溝部との嵌め込みによりランナとスタッドとが位置決め接合されることが記載されている。また、特開平０６−２９９６２８号公報（特許文献３）には、断面コ字形状の桟材の断面形状を変形せしめて間柱を固定することが記載されている。
【先行技術文献】
【特許文献】
【０００３】
【特許文献１】特開平１１−０３６４９０号公報
【特許文献２】特開平０９−１００５９０号公報
【特許文献３】特開平０６−２９９６２８号公報
【発明の概要】
【発明が解決しようとする課題】
【０００４】
しかしながら、前述の従来例では、面材を壁下地に固定するビス頭が表面に現れる場合があり、意匠性が低下する。
【０００５】
本発明は前記課題を解決するものであり、その目的とするところは、面材を壁下地に固定するビス頭が表面に現れることがなく、意匠性に優れた壁構造を提供せんとするものである。
【課題を解決するための手段】
【０００６】
前記目的を達成するための本発明に係る壁構造は、壁下地材に面材を取り付けた壁構造であって、前記面材は両面テープにより前記壁下地材に貼着され、前記面材と、壁または床との取り合い部に該面材を介して押縁部材を前記壁下地材に固定具により固定し、前記固定具の表面を覆い隠すことができる押縁化粧部材を前記押縁部材に取り付けたことを特徴とする。
【発明の効果】
【０００７】
本発明に係る壁構造によれば、面材が壁下地材に両面テープで貼着する構成であり、面材と、壁や床との取り合い部を体裁良くするために設ける押縁部材を介してビス等の固定具により固定する構成である。従って、ビス止めは面材の周囲にのみ限定的に施すことができ、このビス頭は押縁化粧部材で隠すことが出来る。従って、ビス頭が表面に現れなくすることが出来、面材にクロス貼りが不要な化粧石膏ボードを採用することが出来るので、施行性、意匠性に優れ安価な壁構造として構成することが出来る。
【図面の簡単な説明】
【０００８】
【図１】（ａ）は本発明に係る壁構造の構成を示す分解斜視図、（ｂ）は上押縁部材と縦押縁化粧部材との取り合いを示す部分説明図、（ｃ）は下押縁部材と縦押縁化粧部材と巾木との取り合いを示す部分説明図である。
【図２】（ａ）は本発明に係る壁構造の構成を示す横断面図、（ｂ）は本発明に係る壁構造の構成を示す縦断面図、（ｃ）はスタッド部材の上下端部のそれぞれの一側面に対向して上下レール部材の軸方向に弾性変形可能に回動して突出する第１の突出片と、スタッド部材の上下端部のそれぞれの他側面に対向して上下レール部材の軸方向と直交する方向に弾性変形可能に回動して突出する第２の突出片とによりスタッド部材の上下端部が拘束されて位置決めされる様子を説明するための下端部の一例を示す図、（ｄ）は押縁部材を押縁化粧部材に装着する様子を示す図である。
【図３】本発明に係る壁構造において面材の目地部に断面Ｈ字形状のジョイナー部材を設けた場合の構成を示す横断面図である。
【図４】（ａ）〜（ｃ）はスタッド部材の挿入方法を説明する図である。
【図５】（ａ），（ｂ）は上レール部材の天片に設けた、スタッド部材の上端部の側面に対向して上レール部材の軸方向に平行な異なる複数の回動軸を中心に弾性変形可能に回動して突出する複数の突出片と、スタッド部材の上端部に対向して上レール部材の軸方向と直交する方向に弾性変形可能に回動して突出する第３の突出片を示す平面図及び側面図、（ｃ），（ｄ）は下レール部材の底片に設けた、スタッド部材の下端部の側面に対向して下レール部材の軸方向に平行な異なる複数の回動軸を中心に弾性変形可能に回動して突出する複数の突出片を示す平面図及び側面図である。
【図６】（ａ）〜（ｃ）はスタッド部材の挿入方法の他の構成を説明する図である。
【図７】（ａ），（ｂ）は各種の押縁部材の構成を説明する断面説明図である。
【図８】（ａ）はドアやパーティションに応用できるパネル下地材の構成を示す斜視説明図、（ｂ）は上レール部材と縦レール部材との接合構造の一例を示す斜視説明図である。
【発明を実施するための形態】
【０００９】
図により本発明に係る壁構造の一実施形態を具体的に説明する。
【００１０】
図１〜図７を用いて本発明に係る壁構造について説明する。図１〜図７において、１は壁下地材であり、天井材２に皿ネジ等の固定具９により断面コ字形状の開口側を下向きにして水平方向に取り付けられる上レール部材３と、床材４に皿ネジ等の固定具９により断面コ字形状の開口側を上向きにして水平方向に取り付けられる下レール部材５と、上レール部材３内に上端部が嵌入されると共に、下レール部材５内に下端部が嵌入されて起立して取り付けられるスタッド部材６と、壁材８に皿ネジ等の固定具９により断面コ字形状の開口側を内向きにして鉛直方向に取り付けられる一対の縦レール部材10とを有し、上レール部材３の天片３ａまたは側片３ｂ、及び下レール部材５の底片５ａまたは側片５ｂには、スタッド部材６の上下端部のそれぞれの両側面６ａ，６ｂに対向して弾性変形可能に突出される一対の突出片７ａ，７ｂが設けられ、該突出片７ａ，７ｂによりスタッド部材６の上下端部が拘束される。
【００１１】
尚、本実施形態では上レール部材３の天片３ａ及び下レール部材５の底片５ａにスタッド部材６の上下端部のそれぞれの両側面６ａ，６ｂに対向して弾性変形可能に突出される一対の突出片７ａ，７ｂが設けられた一例について説明するが、上レール部材３の天片３ａまたは側片３ｂ、及び下レール部材５の底片５ａまたは側片５ｂに選択的にスタッド部材６の上下端部のそれぞれの両側面６ａ，６ｂに対向して弾性変形可能に突出される一対の突出片７ａ，７ｂを設けることも出来る。
【００１２】
上下レール部材３，５の突出片７ａ，７ｂは上下対称な位置に配置される。壁下地材１は床材４、壁材８、天井材２及び巾木20、更にはクロスを仕上げた後に施工する。本実施形態では、上下レール部材３，５間に所定のピッチ（例えば４５５ｍｍ間隔等）で複数のスタッド部材６が設置される。また、断面コ字形状の上下レール部材３，５の内部に断面コ字形状の左右の縦レール部材10が嵌入される。尚、壁材８の代わりに柱材や間柱材に左右の縦レール部材10を取り付けることでも良い。
【００１３】
本実施形態の突出片７ａ，７ｂは、図２に示すように、スタッド部材６の上下端部のそれぞれの左側面６ａに対向して上レール部材３及び下レール部材５の軸方向（図２（ａ）の左右方向）に弾性変形可能に回動して突出する第１の突出片７ａと、スタッド部材６の上下端部のそれぞれの右側面６ｂに対向して上レール部材３及び下レール部材５の軸方向（図２（ａ）の左右方向）と直交する方向（図２（ａ）の上下方向）に弾性変形可能に回動して突出する第２の突出片７ｂとを有し、該第１、第２の突出片７ａ，７ｂによりスタッド部材６の上下端部が拘束される。第１、第２の突出片７ａ，７ｂは図２（ｂ），（ｃ）に示すように、自然状態でそれぞれ上レール部材３の天片３ａから下方に突出した状態を維持すると共に、下レール部材５の底片５ａから上方に突出した状態を維持する。
【００１４】
また、各突出片７ａ，７ｂは、上レール部材３の天片３ａまたは側片３ｂ、或いは下レール部材５の底片５ａまたは側片５ｂの一部を切り欠いて、その切り欠き部が弾性変形により回動して突出するように構成される。本実施形態では、上レール部材３の天片３ａと、下レール部材５の底片５ａとにそれぞれ各突出片７ａ，７ｂを設けた一例について説明するが、上レール部材３の側片３ｂと、下レール部材５の側片５ｂとにそれぞれ各突出片７ａ，７ｂを設けることも出来るし、上レール部材３の天片３ａ及び側片３ｂと、下レール部材５の底片５ａ及び側片５ｂに適宜各突出片７ａ，７ｂを設けて構成することも出来る。鋼板、ステンレス板、アルミニウム板等からなる上下レール部材３，５をプレス加工等により各突出片７ａ，７ｂを容易に形成することが出来る。
【００１５】
また、上記構成においてスタッド部材６を上下レール部材３，５間に挿入する場合には、図４（ａ）に示すように、断面コ字形状で開口側を下向きにして天井材２に皿ネジ等の固定具９により固定されて水平方向に配置された上レール部材３内にスタッド部材６の上端部を嵌入すると共に、断面コ字形状で開口側を上向きにして床材４に皿ネジ等の固定具９により固定されて水平方向に配置された下レール部材５内に該スタッド部材６の下端部を嵌入し、図４（ｂ）に示すように、上レール部材３及び下レール部材５の軸方向（図４の左右方向）に沿って図４の左側から右側に向かって該スタッド部材６を摺動移動させ、その際にスタッド部材６の上下端部が当接する各突出片７ａを弾性変形させて、上レール部材３の天片３ａ及び下レール部材５の底片５ａと略面一となる位置まで退避させ、図４（ｃ）に示すように、スタッド部材６の上下端部が通過した部位の各突出片７ａが弾性変形により突出状態に復元し、突出片７ｂの当接辺7b1と突出片７ａの当接辺7a1とによりスタッド部材６の上下端部の左右側面６ａ，６ｂが拘束されて該スタッド部材６が位置決めされる。
【００１６】
壁下地材１の上下レール部材３，５の表裏の両表面には仕上げ材として防火性、強度性、加工性に優れ、安価である石膏ボード等の面材11が取り付けられる。また、面材11を化粧石膏ボードとすることにより表面にクロスを貼る必要が無い。本実施形態において、面材11の上部の取付構造は、図２（ｂ）に示すように、面材11の表面に当接する当接片12ａと、壁下地材１の上レール部材３の側片３ｂにビス等の固定具13により左右の縦レール部材10の側片10ｂと共に固定される固定片12ｂとを有する断面Ｚ字形状の押縁部材12を用いて、壁下地材１の上下レール部材３，５の側片３ｂ，５ｂの表裏の両表面に面材11を当接し、押縁部材12の当接片12ａを面材11の表面に当接すると共に、該押縁部材12の固定片12ｂを壁下地材１の上レール部材３の側片３ｂに固定具13により固定して面材11を壁下地材１に固定する。
【００１７】
本実施形態では、押縁部材12の当接片12ａの面材11側の先端12a1から固定片12ｂを含む平面に対して垂下した長さは、面材11の厚さよりも小さくなっており、固定片12ｂを上レール部材３の側片３ｂに固定具13により固定した際に押縁部材12の弾性力により当接片12ａの先端12a1が面材11の表面に圧接した状態で面材11が壁下地材１に対して強固に固定される。また、固定片12ｂよりも表面側に段部状に突出した当接片12ａにより固定具９の頭部が視界から隠され、意匠性に優れる。
【００１８】
図２（ｂ）に示す面材11の上部の取付構造によれば、壁下地材１の表面に面材11を当接し、押縁部材12の当接片12ａを該面材11の表面に当接すると共に、該押縁部材12の固定片12ｂを壁下地材１に固定して面材11を該壁下地材１に固定することが出来、固定片12ｂよりも面材11の表面側に突出した当接片12ａが該固定片12ｂを壁下地材１に固定するビス等の固定具13を隠すことにより見栄えが良い。
【００１９】
一方、面材11の下部及び左右縦部の取付構造は、図２（ａ），（ｂ），（ｄ）に示すように、面材11の表面に当接して該面材11を介在して壁下地材１の下レール部材５及び縦レール部材10の各側片５ｂ，10ｂに固定される固定片14ａと、該固定片14ａの両端部に設けられた係合部14a1，14a2とを有する押縁部材14と、該押縁部材14の係合部14a1，14a2とそれぞれ係合する係合部15a1，15a2を有する押縁化粧部材15とを有し、壁下地材１の上下レール部材３，５及び縦レール部材10の各側片３ｂ，５ｂ，10ｂの表裏の両表面に面材11を当接し、押縁部材14の固定片14ａを面材11の表面に当接して該面材11を介在してビス等の固定具13により壁下地材１の下レール部材５及び縦レール部材10の各側片５ｂ，10ｂに固定して面材11を壁下地材１に固定し、押縁化粧部材15の係合部15a1を押縁部材14の係合部14a1に引っ掛けて係合した状態で、押縁化粧部材15の係合部15a2を押縁部材14の係合部14a2の表面側から押圧すると、係合部15a2が弾性変形して係合部14a2を乗り越えた後、復元することで、押縁化粧部材15の係合部15a2が押縁部材14の係合部14a2に係合して係止され該押縁化粧部材15が押縁部材14の表面側に係止され、固定具13の頭部が押縁化粧部材15によって覆い隠される。
【００２０】
図２（ａ），（ｂ），（ｄ）に示す面材11の下部及び左右縦部の取付構造によれば、壁下地材１の表面に面材11を当接し、押縁部材14の固定片14ａを該面材11の表面に当接して該面材11を介在して壁下地材１に固定して該面材11を壁下地材１に固定し、押縁化粧部材15の係合部15a1，15a2を押縁部材14の係合部14a1，14a2にそれぞれ係合して該押縁化粧部材15を押縁部材14の表面側に係止することで固定片14ａを壁下地材１に固定するビス等の固定具13を押縁化粧部材15により覆い隠すことにより見栄えが良い。
【００２１】
図１（ｃ）は床材４の上面で壁材８の表面に巾木20を設けたものであり、このような場合には、巾木20の厚さに対応して面材11を介在して下レール部材５の側片５ｂに固定される押縁部材14及び押縁化粧部材15の長さを短くすると共に、巾木20の外形に対応して面材11を介在して縦レール部材10の側片10ｂに固定される押縁部材14及び押縁化粧部材15を切り欠く。また、巾木20の外形に対応して石膏ボード等の面材11を切り欠く。
【００２２】
尚、図７（ａ）に示すように、壁下地材１の上レール部材３の側片３ｂと、押縁部材12の固定片12ｂとの間に面材11の板厚の変化に応じた厚さを有するスペーサ16を設けることも出来る。このような構成によれば、面材11の板厚に応じて壁下地材１と、押縁部材12の固定片12ｂとの間に設けるスペーサ16の厚さを変えることで面材11の板厚の変化に容易に対応出来る。
【００２３】
また、面材11の上部の他の取付構造としては、図７（ｂ）に示すように、面材11の表面に当接する当接片12ａと、該面材11の表面に当接して該面材11を介在して壁下地材１の上レール部材３の側片３ｂに固定される固定片12ｂとを有する断面Ｚ字形状の押縁部材12を用いて、壁下地材１の上下レール部材３，５の側片３ｂ，５ｂの表裏の両表面に面材11を当接し、押縁部材12の当接片12ａを該面材11の表面に当接すると共に、該押縁部材12の固定片12ｂを該面材11の表面に当接して該面材11を介在してビス等の固定具13により左右の縦レール部材10の側片10ｂと共に壁下地材１の上レール部材３の側片３ｂに固定して面材11を壁下地材１に固定する。
【００２４】
本実施形態では、押縁部材12の当接片12ａの面材11側の先端12a1は、固定片12ｂを含む平面よりも面材11側に突出されており、固定片12ｂを上レール部材３の側片３ｂに固定具13により固定した際に押縁部材12の弾性力により当接片12ａの先端12a1が面材11の表面に圧接した状態で面材11が壁下地材１に対して強固に固定される。また、固定片12ｂよりも表面側に段部状に突出した当接片12ａにより固定具９の頭部が視界から隠され、意匠性に優れる。
【００２５】
図７（ｂ）に示す面材11の上部取付構造によれば、壁下地材１の表面に面材11を当接し、押縁部材12の当接片12ａを該面材11の表面に当接すると共に、該押縁部材12の固定片12ｂを該面材11の表面に当接して該面材11を介在して壁下地材１に固定して面材11を壁下地材１に固定することが出来、固定片12ｂよりも面材11の表面側に突出した当接片12ａが該固定片12ｂを壁下地材１に固定するビス等の固定具13を隠すことにより見栄えが良い。
【００２６】
図２（ａ）に示すように、面材11とスタッド部材６とを両面テープ17により貼着することが出来る。この場合、スタッド部材６の表面に両面テープ17が貼着され、その両面テープ17の表面に剥離紙が貼着されている。そして、面材11をスタッド部材６に固定する場合には、両面テープ17の剥離紙を剥がし、面材11を両面テープ17を介してスタッド部材６に固定する。この場合、面材11の継ぎ目をビス止めすることなく、段差なく仕上げることが出来、複数の面材11に亘って該面材11の表面に段差なくクロス貼りをすることが出来る。また、ビス止めは面材11の周辺に限られ、上端、側端のビス頭は押縁部材12や押縁化粧部材15により隠す構成であるため、ビス頭が表面に現れることをなくすことが出来、面材11として表面にクロス貼りが不要な化粧石膏ボードを採用することもできるので、施工性、意匠性に優れ且つ安価な間仕切壁が実現できる。
【００２７】
また、図３に示すように、面材11の縦目地部が配置されるスタッド部材６の表裏の両面に断面Ｈ字形状のジョイナー部材18を皿ネジ等の固定具19により固定し、該ジョイナー部材18の両側の差込部に面材11の縦端部11ａを挿入して面材11をスタッド部材６に固定することも出来る。図３に示す実施例では、図３に示す左側の面材11の図３に示す右側の縦端部11ａをジョイナー部材18の図３に示す左側の嵌合溝内に挿入した状態で該ジョイナー部材18を皿ネジ等の固定具19によりスタッド部材６に固定した後、ジョイナー部材18の図３に示す右側の嵌合溝内に図３に示す右側の面材11の図３に示す左側の縦端部11ａを挿入する作業を順次繰り返して壁下地材１の表裏両面の全面に面材11を取り付けることが出来る。このようなジョイナー部材18を使用して面材11を取り付けることによってもビス頭が表面に現れることをなくすことが出来、このような壁下地材１を用いた間仕切壁を取り外す場合には、上記取り付けとは逆の工程で皿ネジ等の固定具19を外していけば良く、取り外しが容易な間仕切壁を構成できる。
【００２８】
上記構成によれば、上下レール部材３，５間に一旦取り付けたスタッド部材６を容易に取り付け或いは取り外すことが出来、スタッド部材６の取り付け作業もワンタッチで取り付け出来るため設置や取り外しが容易な間仕切壁等に用いる壁下地材１、更にはそれを用いた壁構造を提供することが出来る。また、天井と床の上下に溝を設けて落とし込みにより嵌め込むケンドン式の間仕切壁の構成と比較してスタッド部材６の長手方向の設計寸法に許容を大きく持たせることができ、また階高寸法の違いによるスタッド部材６の種類を削減することが出来るため部材管理が容易となり、コストの低減化が図れる。また、間取りを変更する際等に、間仕切壁を取り外す場合にも壁下地材１を利用した間仕切壁において、突出片７ａ，７ｂを上下レール部材３，５の天片３ａ及び底片５ａと略面一になるように押圧することによりスタッド部材６の係止を解除できるので、該スタッド部材６の取り外しが容易に出来、壁下地材１の撤去が容易に出来る。
【００２９】
前記実施形態の突出片７ａ，７ｂは、図２に示すように、スタッド部材６の上下端部のそれぞれの左側面６ａに対向して上レール部材３及び下レール部材５の軸方向（図２（ａ）の左右方向）に弾性変形可能に回動して突出する第１の突出片７ａと、スタッド部材６の上下端部のそれぞれの右側面６ｂに対向して上レール部材３及び下レール部材５の軸方向（図２（ａ）の左右方向）と直交する方向（図２（ａ）の上下方向）に弾性変形可能に回動して突出する第２の突出片７ｂとを有する構成としたが、他の構成として、図５及び図６に示すように、壁下地材１の上下レール部材３，５にそれぞれ設けられる突出片21ａ〜21ｄは、スタッド部材６の上下端部のそれぞれの左右側面６ａ，６ｂに対向して上下レール部材３，５の軸方向（図５の左右方向）に平行な異なる複数の回動軸21a1〜21d1を中心に弾性変形可能に回動して突出すると共に、該回動軸21a1〜21d1に対して直角でスタッド部材６の上下端部のそれぞれの左右側面６ａ，６ｂに当接する当接辺21a2〜21d2と、該当接辺21a2〜21d2の先端部から回動軸21a1〜21d1にそれぞれ交差しスタッド部材６の上下端部が当接摺動して弾性変形をガイドする傾斜辺21a3〜21d3とを有する複数の突出片21ａ〜21ｄを有し、該複数の突出片21ａ〜21ｄによりスタッド部材６の上下端部が拘束される構成とすることが出来る。突出片21ａ〜21ｄは図５（ｂ）に示すように、自然状態でそれぞれ上レール部材３の天片３ａから下方に突出した状態を維持すると共に、下レール部材５の底片５ａから上方に突出した状態を維持する。
【００３０】
図５及び図６に示す突出片21ａ〜21ｄは、当接辺21a2〜21d2と傾斜辺21a3〜21d3とを結んで回動軸21a1〜21d1に対して平行な水平辺21a4〜21d4を設けて台形状の複数の突出片21ａ〜21ｄとしたものである。尚、他の突出片21ａ〜21ｄの形状としては、水平辺21a4〜21d4を有さず、回動軸21a1〜21d1と、当接辺21a2〜21d2と、傾斜辺21a3〜21d3とにより直角三角形を構成するものでも良い。
【００３１】
また、図５（ａ），（ｂ）に示すように、上レール部材３の天片３ａには、スタッド部材６の上端部に対向して該上レール部材３の軸方向（図５の左右方向）と直交する方向（図５（ａ）の上下方向）に弾性変形可能に回動して突出すると共に、スタッド部材６の上端部が当接摺動して弾性変形をガイドする傾斜辺22ａと、スタッド部材６の上端部に当接して該スタッド部材６を弾性力により下方に付勢する当接辺22ｂとを備えた突出片22を有し、該突出片22の弾性力により付勢されてスタッド部材６の下端部が下レール部材５の底片５ａに圧接される。突出片22は、図５（ａ），（ｂ）に示すように、自然状態で上レール部材３の天片３ａから下方に突出した状態を維持する。また自然状態において、突出片22の当接辺22ｂは突出片21ａ〜21ｄの水平辺21a4〜21d4よりも上方に配置される。
【００３２】
本実施形態において、スタッド部材６の長さは、上レール部材３の天片３ａと下レール部材５の底片５ａとの間の離間間隔よりも５ｍｍ程度短く設定されており、この５ｍｍ程度の隙間を突出片22の弾性力によりスタッド部材６が下方に付勢されて該スタッド部材６の下端部が下レール部材５の底片５ａに圧接される。
【００３３】
このような構成においても、スタッド部材６を上下レール部材３，５内に挿入する際には、図６（ａ）に示すように、上下レール部材３，５内にスタッド部材６の上下端部を嵌入すると共に、図６（ｂ）に示すように、上下レール部材３，５の軸方向（図６の左右方向）に沿ってスタッド部材６を図６の左から右方向に摺動移動させ、その際にスタッド部材６の上下端部が突出片21ａ，21ｂの傾斜辺21a3，21b3にそれぞれ当接摺動して各突出片21ａ，21ｂを上下レール部材３，５の天片３ａ或いは底片５ａ側に弾性変形させると共に、更に上レール部材３の軸方向（図６の左から右方向）に沿ってスタッド部材６を摺動移動させ、その際にスタッド部材６の上端部が突出片22の図６の左側の傾斜辺22ａに当接摺動して突出片22を上レール部材３の天片３ａ側に弾性変形させる。そして、上下レール部材３，５の天片３ａ及び底片５ａに設けた突出片21ａ，21ｂと、上レール部材３の天片３ａに設けた突出片22とが、それぞれ上レール部材３の天片３ａ及び下レール部材５の底片５ａと略面一となる位置まで退避させ、スタッド部材６の上下端部が通過した部位の各突出片21ａ，21ｂが弾性変形により突出状態に復元することで、スタッド部材６の上下端部のそれぞれの左右側面６ａ，６ｂに対向する一対の突出片21ａ〜21ｄにより該スタッド部材６の上下端部を拘束することが出来、突出片22の当接辺22ｂがスタッド部材６の上端部に当接すると共に、該突出片22の弾性力により該スタッド部材６を下方に押圧してスタッド部材６の下端部を下レール部材５の底片５ａに圧接する。尚、突出片22は上下レール部材３，５の天片３ａ或いは底片５ａに選択的に適宜設けることも出来る。
【００３４】
前記実施形態では、天井材２に上レール部材３が取り付けられ、床材４に下レール部材５が取り付けられ、左右の縦レール部材10が壁材８に取り付けられて、左右の縦レール部材10は上下レール部材３，５の内部に嵌入された構成の壁下地材１を壁構造に使用した一例について説明したが、例えば、図８に示すように、左右の縦レール部材10が上下レール部材３，５の内部に嵌入されると共に、リベット23等の結合手段により左右の縦レール部材10と上下レール部材３，５とが結合された枠体からなるパネル下地材をドアやパーティション等のパネルに使用することでも良い。
【００３５】
即ち、パネル下地材の構成としては、断面コ字形状の開口側を下向きにして水平方向に配置される上レール部材３と、断面コ字形状の開口側を上向きにして水平方向に配置される下レール部材５と、上下レール部材３，５を連結する一対の縦レール部材10と、上レール部材３内に上端部が嵌入されると共に、下レール部材５内に下端部が嵌入されて起立して取り付けられるスタッド部材６とを有し、上レール部材３の天片３ａまたは側片３ｂ、及び下レール部材５の底片５ａまたは側片５ｂに、スタッド部材６の上下端部のそれぞれの左右側面６ａ，６ｂに対向して弾性変形可能に突出される図２に示したと同様な一対の突出片７ａ，７ｂ或いは図５に示したと同様な一対の突出片21ａ〜21ｄが設けられ、該突出片７ａ，７ｂ或いは突出片21ａ〜21ｄによりスタッド部材６の上下端部が拘束される構成としても良い。また、上下レール部材３，５の天片３ａ或いは底片５ａに図５に示したと同様な突出片22を適宜設けることも出来る。
【００３６】
このような構成によれば、スタッド部材６の上下端部のそれぞれの両側面に対向して弾性変形可能に突出される図２に示したと同様な一対の突出片７ａ，７ｂ或いは図５に示したと同様な一対の突出片21ａ〜21ｄにより該スタッド部材６の上下端部を拘束することが出来る。
【００３７】
スタッド部材６を上下レール部材３，５内に挿入する際には、スタッド部材６を傾斜させて上下レール部材３，５内にスタッド部材６の上下端部を嵌入すると共にスタッド部材６を起立させ、上下レール部材３，５の軸方向に沿ってスタッド部材６を摺動移動させ、その際にスタッド部材６の上下端部が当接する突出片７ａ或いは突出片21ａ，21ｂを弾性変形させて、上レール部材３の天片３ａ及び下レール部材５の底片５ａと略面一となる位置まで退避させ、スタッド部材６の上下端部が通過した部位の各突出片７ａ，21ａ，21ｂが弾性変形により突出状態に復元することで、スタッド部材６の上下端部のそれぞれの左右側面６ａ，６ｂに対向する一対の突出片７ａ，７ｂ或いは突出片21ａ〜21ｄにより該スタッド部材６の上下端部を拘束することが出来る。
【００３８】
また、パネル下地材の他の構成として、突出片は、スタッド部材６の上下端部のそれぞれの一側面に対向して上下レール部材３，５の軸方向に弾性変形可能に回動して突出する第１の突出片７ａと、スタッド部材６の上下端部のそれぞれの他側面に対向して上下レール部材３，５の軸方向と直交する方向に弾性変形可能に回動して突出する第２の突出片７ｂとを有し、該第１、第２の突出片７ａ，７ｂによりスタッド部材６の上下端部が拘束される構成でも良い。
【００３９】
このような構成によれば、スタッド部材６の上下端部のそれぞれの一側面に対向して上下レール部材３，５の軸方向に弾性変形可能に回動して突出する第１の突出片７ａを設けたことで、上下レール部材５の軸方向に沿ってスタッド部材６を摺動移動させ、その際にスタッド部材６の上下端部が当接する第１の突出片７ａを弾性変形させて、上レール部材３の天片３ａ及び下レール部材５の底片５ａと略面一となる位置まで退避させ、スタッド部材６の上下端部が通過した部位の第１の突出片７ａが弾性変形により突出状態に復元することで、スタッド部材６の上下端部のそれぞれの一側面に対向する第１の突出片７ａにより該スタッド部材６の上下端部の一側面を拘束することが出来る。一方、スタッド部材６の上下端部のそれぞれの他側面に対向して上下レール部材３，５の軸方向と直交する方向に弾性変形可能に回動して突出する第２の突出片７ｂによりスタッド部材６の上下端部のそれぞれの他側面に対向する第２の突出片７ｂにより該スタッド部材６の上下端部の他側面を拘束することが出来る。これにより、第１、第２の突出片７ａ，７ｂによりスタッド部材６の上下端部が拘束される。第２の突出片７ｂは上下レール部材３，５の軸方向と直交する方向に弾性変形可能に回動して突出する構成であるため、上下レール部材３，５の軸方向に沿ってスタッド部材６を摺動移動した際に該スタッド部材６が第２の突出片７ｂに当接しても該第２の突出片７ｂは弾性変形しないため、スタッド部材６の上下端部のそれぞれの他側面をしっかりと拘束出来る。
【００４０】
また、パネル下地材の他の構成として、突出片は、スタッド部材６の上下端部のそれぞれの側面に対向して上下レール部材３，５の軸方向に平行な異なる複数の回動軸21a1〜21d1を中心に弾性変形可能に回動して突出すると共に、該回動軸21a1〜21d1に対して直角でスタッド部材６の上下端部のそれぞれの側面に当接する当接辺21a2〜21d2と、該当接辺21a2〜21d2の先端部から回動軸21a1〜21d1に交差しスタッド部材６の上下端部が当接摺動して弾性変形をガイドする傾斜辺21a3〜21d3とを有する複数の突出片21ａ〜21ｄを有し、該複数の突出片21ａ〜21ｄによりスタッド部材６の上下端部が拘束される構成でも良い。図５及び図６に示したように、突出片21ａ〜21ｄとして、当接辺21a2〜21d2と傾斜辺21a3〜21d3とを結んで回動軸21a1〜21d1に対して平行な水平辺21a4〜21d4を設けて台形状とすることも出来、水平辺21a4〜21d4を無くして、回動軸21a1〜21d1と、当接辺21a2〜21d2と、傾斜辺21a3〜21d3とにより直角三角形の突出片21ａ〜21ｄとして構成することも出来る。
【００４１】
このような構成によれば、上下レール部材３，５の軸方向に平行な異なる複数の回動軸21a1〜21d1を中心に弾性変形可能に回動して突出すると共に、該回動軸21a1〜21d1に対して直角でスタッド部材の上下端部のそれぞれの側面に当接する当接辺21a2〜21d2と、該当接辺21a2〜21d2の先端部から該回動軸21a1〜21d1に交差しスタッド部材６の上下端部が当接摺動して弾性変形をガイドする傾斜辺21a3〜21d3とを有し、該回動軸21a1〜21d1と、当接辺21a2〜21d2と、傾斜辺21a3〜21d3とにより直角三角形を構成する複数の突出片21ａ〜21ｄ、或いは図５及び図６に示したと同様に、当接辺21a2〜21d2と傾斜辺21a3〜21d3とを結んで回動軸21a1〜21d1に対して平行な水平辺21a4〜21d4を設けて台形状の突出片21ａ〜21ｄを設けた場合には、上下レール部材３，５の軸方向に沿ってスタッド部材６を摺動移動した際に該スタッド部材６の上下端部が突出した突出片21ａ，21ｂの傾斜辺21a3，21b3に当接摺動して該突出片21ａ，21ｂを上レール部材３の天片３ａ及び下レール部材５の底片５ａと略面一となる位置まで退避させ、スタッド部材６の上下端部が通過すると、該突出片21ａ，21ｂが弾性変形により突出状態に復元し、当接辺21a2，21b2がスタッド部材６の上下端部のそれぞれの側面に当接することで、スタッド部材６の上下端部のそれぞれの側面を拘束することが出来る。
【００４２】
また、パネル下地材の更に他の構成として、図５（ａ），（ｂ）に示したと同様に、上レール部材３の天片３ａに、スタッド部材６の上端部に対向して上レール部材３の軸方向と直交する方向に弾性変形可能に回動して突出すると共に、スタッド部材６の上端部が当接摺動して弾性変形をガイドする傾斜辺22ａと、該スタッド部材６の上端部に当接して該スタッド部材６を弾性力により下方に付勢する当接辺22ｂとを備えた突出片22を有し、該突出片22の弾性力により付勢されてスタッド部材６の下端部が下レール部材５の底片５ａに圧接される構成としても良い。
【００４３】
このような構成によれば、スタッド部材６の上端部に対向して上レール部材３の軸方向と直交する方向に弾性変形可能に回動して突出すると共に、該スタッド部材６の上端部が当接摺動して弾性変形をガイドする傾斜辺22ａと、スタッド部材６の上端部に当接して該スタッド部材６を弾性力により下方に付勢する当接辺22ｂとを備えた突出片22を上レール部材３の天片３ａに設けた場合には、上下レール部材３，５の軸方向に沿ってスタッド部材６を摺動移動した際に該スタッド部材６の上端部が突出した突出片22の傾斜辺22ａに当接摺動して該突出片22の弾性力により該スタッド部材６が下方に付勢され、該スタッド部材６の下端部が下レール部材５の底片５ａに圧接されて拘束される。
【００４４】
また、パネル下地材の更に他の構成として、各突出片７ａ，７ｂ或いは突出片21ａ〜21ｄは、上レール部材３の天片３ａまたは側片３ｂ、或いは下レール部材５の底片５ａまたは側片５ｂの一部を切り欠いて、その切り欠き部が弾性変形により回動して突出するように構成することが出来る。
【００４５】
このような構成によれば、各突出片７ａ，７ｂ或いは突出片21ａ〜21ｄは、上レール部材３の天片３ａまたは側片３ｂ、或いは下レール部材５の底片５ａまたは側片５ｂの一部を切り欠いて、その切り欠き部が弾性変形により回動して突出するように構成することが出来、バネ性を有する鋼板、ステンレス板、アルミニウム板等の金属板をプレス形成して製造したり、合成樹脂等により成形して容易に製造することが出来る。
【００４６】
また、パネル下地材におけるスタッド部材６の挿入方法としては、上レール部材３内にスタッド部材６の上端部を嵌入すると共に、下レール部材５内にスタッド部材６の下端部を嵌入し、上下レール部材３，５の軸方向に沿ってスタッド部材６を摺動移動させ、その際にスタッド部材６の上下端部が当接する各突出片７ａ或いは突出片21ａ，21ｂ，突出片22を弾性変形させて、上レール部材３の天片３ａ及び下レール部材５の底片５ａと略面一となる位置まで退避させ、スタッド部材６の上下端部が通過した部位の各突出片７ａ或いは突出片21ａ，21ｂが弾性変形により突出状態に復元させることが出来る。
【００４７】
また、上記パネル下地材を用いたパネルの構成としては、図２（ｂ）に示したと同様に、パネル下地材の表面に面材11を取り付けたパネルであって、面材11の表面に当接する当接片12ａと、パネル下地材に固定される固定片12ｂとを有する断面Ｚ字形状の押縁部材12を有し、パネル下地材の表面に面材11を当接し、押縁部材12の当接片12ａを面材11の表面に当接すると共に、押縁部材12の固定片12ｂをパネル下地材に固定して面材11をパネル下地材に固定することが出来る。
【００４８】
このようなパネルによれば、パネル下地材の表面に面材11を当接し、押縁部材12の当接片12ａを該面材11の表面に当接すると共に、該押縁部材12の固定片12ｂをパネル下地材に固定して面材11をパネル下地材に固定することが出来、固定片12ｂよりも面材11の表面側に突出した当接片12ａが該固定片12ｂをパネル下地材に固定するビス等の固定具19を隠すことにより見栄えが良い。
【００４９】
また、パネルの他の構成としては、図７（ａ）に示したと同様に、パネル下地材と、押縁部材12の固定片12ｂとの間に面材11の板厚の変化に応じた厚さを有するスペーサ16を設けることが出来る。
【００５０】
このような構成によれば、面材11の板厚に応じてパネル下地材と、押縁部材12の固定片12ｂとの間に設けるスペーサ16の厚さを変えることで面材11の板厚の変化に容易に対応出来る。
【００５１】
また、パネルの更に他の構成としては、図７（ｂ）に示したと同様に、面材11の表面に当接する当接片12ａと、面材11の表面に当接して該面材11を介在してパネル下地材に固定される固定片12ｂとを有する断面Ｚ字形状の押縁部材12を有し、パネル下地材の表面に面材11を当接し、押縁部材12の当接片12ａを面材11の表面に当接すると共に、押縁部材12の固定片12ｂを面材11の表面に当接して該面材11を介在してパネル下地材に固定して面材11をパネル下地材に固定することが出来る。
【００５２】
このような構成によれば、パネル下地材の表面に面材11を当接し、押縁部材12の当接片12ａを該面材11の表面に当接すると共に、該押縁部材12の固定片12ｂを該面材11の表面に当接して該面材11を介在してパネル下地材に固定して面材11をパネル下地材に固定することが出来、固定片12ｂよりも面材11の表面側に突出した当接片12ａが該固定片12ｂをパネル下地材に固定するビス等の固定具13を隠すことにより見栄えが良い。
【００５３】
また、パネルの更に他の構成としては、図２（ａ），（ｂ），（ｃ）に示したと同様に、面材11の表面に当接して該面材11を介在してパネル下地材に固定される固定片14ａと、該固定片14ａの両端部に設けられた係合部14a1，14a2とを有する押縁部材14と、該押縁部材14の係合部14a1，14a2と係合する係合部15a1，15a2を有する押縁化粧部材15とを有し、パネル下地材の表面に面材11を当接し、押縁部材14の固定片14ａを面材11の表面に当接して該面材11を介在してパネル下地材に固定して面材11をパネル下地材に固定し、押縁化粧部材15の係合部15a1，15a2を押縁部材14の係合部14a1，14a2に係合して該押縁化粧部材15を押縁部材14の表面側に係止することが出来る。
【００５４】
このような構成によれば、パネル下地材の表面に面材11を当接し、押縁部材14の固定片14ａを該面材11の表面に当接して該面材11を介在してパネル下地材に固定して該面材11をパネル下地材に固定し、押縁化粧部材15の係合部15a1，15a2を押縁部材14の係合部14a1，14a2に係合して該押縁化粧部材15を押縁部材14の表面側に係止することで固定片14ａをパネル下地材に固定するビス等の固定具13を押縁化粧部材15により覆い隠すことにより見栄えが良い。
【００５５】
このように、ドアやパーティション等に用いるパネル下地材、更にはそれらを用いたパネルを提供することも出来る。
【産業上の利用可能性】
【００５６】
本発明の活用例として、設置や取り外しが容易な間仕切壁等に用いる壁下地材を備えた壁構造に適用出来る。
【符号の説明】
【００５７】
１    …壁下地材
２    …天井材
３    …上レール部材
３ａ  …天片
３ｂ  …側片
４    …床材
５    …下レール部材
５ａ  …底片
５ｂ  …側片
６    …スタッド部材
６ａ …左側面
６ｂ …右側面
７ａ，７ｂ …突出片
7a1，7b1   …当接辺
８    …壁材
９    …固定具
10    …縦レール部材
10ｂ  …側片
11    …面材
11ａ  …縦端部
12    …押縁部材
12ａ  …当接片
12a1  …先端
12ｂ  …固定片
13    …固定具
14    …押縁部材
14ａ  …固定片
14a1，14a2 …係合部
15    …押縁化粧部材
15a1，15a2 …係合部
16    …スペーサ
17    …両面テープ
18    …ジョイナー部材
19    …固定具
20    …巾木
21ａ〜21ｄ …突出片
21a1〜21d1 …回動軸
21a2〜21d2 …当接辺
21a3〜21d3 …傾斜辺
21a4〜21d4 …水平辺
22    …突出片
22ａ  …傾斜辺
22ｂ  …当接辺
23    …リベット
【図１】
2014159737.tif 000003
【図２】
2014159737.tif 000004
【図３】
2014159737.tif 000005
【図４】
2014159737.tif 000006
【図５】
2014159737.tif 000007
【図６】
2014159737.tif 000008
【図７】
2014159737.tif 000009
【図８】
2014159737.tif 000010